(57)【特許請求の範囲】
【請求項１】
携帯型無線機を収納する保護ケースであって、後板とクリップとからなるベルトに装着するベルトクリップを備え、
前記後板は前記保護ケースの一面に装着され、前記クリップ部の先端が接する部位にねじ孔を有し、
前記クリップ部は一端に前記後板に固定する基端部と、前記基端部から上下方向に細長い舌片状に形成された前記先端部とを有し、
前記先端部には前記クリップ部の弾性により前記後板に押圧される凹断部を有し、
前記凹断部に係止孔を設け、前記係止孔が前記後板に設けた前記ねじ孔に螺合するねじが通過するものであり、
前記ねじ孔と前記係止孔とをねじで固定してベルトに装着するか、または前記ねじ孔と前記係止孔とを固定せずに前記クリップ部の弾性で前記保護ケースを前記ベルトに装着する携帯型無線機の保護ケース。
【発明の詳細な説明】
【０００１】
【発明の属する技術分野】
この発明は衝撃などの外力から無線機を保護する携帯型無線機の保護ケースに関する。
【０００２】
【従来の技術】
従来携帯電話のような携帯型無線機は、携帯中に誤って落とした場合、落下時の衝撃により無線機が破損したり、故障するなどの不具合が発生する。
【０００３】
このため従来では無線機を衝撃などの外力より保護するため、無線機を保護ケース内に収容して携帯することが多い。
【０００４】
また保護ケースには、例えば特開平７−１３１５１０号公報に記載されたもののように、無線機本体の上部をクリップ付きのホルダに収容して、クリップを腰ベルトなどに装着することにより携帯を容易にしたり、図７に示すようにベルトクリップａを有するケースｂ内に無線機全体を収納して、ベルトクリップａを腰ベルトなどへ装着することにより、携帯を容易にしたものなどがある。
【０００５】
これら保護ケースｂのベルトクリップａは、何れも弾性を有する金属板により形成されていて、腰ベルトに装着する場合は、ベルトクリップａの先端部ｃを弾性に抗して押し広げ、この状態でベルトクリップａの先端部ｃを腰ベルトの内側へ差し込むことにより装着するようになっている。
【０００６】
【発明が解決しようとする課題】
しかし上記従来の保護ケースｂに設けられたベルトクリップａは、先端部ｃを腰ベルトの内側に差し込んで装着する構造のため、特に下方より保護ケースｂに外力が加わった場合、ベルトクリップａが腰ベルトより外れて落下しやすいなどの不具合がある。
【０００７】
またベルトクリップａが保護ケースｂにリベットなどの固着具ｄにより固着された構造のため、ベルトクリップａが破損した場合、保護ケースｂ全体を交換しなければならないため、不経済であると共に、Ｙシャツの胸ポケットなどに収容して無線機を携帯する場合、ベルトクリップａが邪魔になるなどの不具合もあった。
【０００８】
この発明はかかる従来の不具合を改善するためになされたもので、腰ベルトに装着して携帯中に外力が加わっても外れる虞がないベルトクリップを有する携帯型無線機の保護ケースを提供することを目的とするものである。
【０００９】
【課題を解決するための手段】
この発明は上記目的を達成するため、携帯型無線機を収納する保護ケースであって、後板とクリップとからなるベルトに装着するベルトクリップを備え、後板が前記保護ケースの一面に装着され、クリップ部の先端が接する部位にねじ孔を有し、クリップ部が一端に後板に固定する基端部と、基端部から上下方向に細長い舌片状に形成された先端部とを有し、先端部にはクリップ部の弾性により後板に押圧される凹断部を有し、凹断部に係止孔を設け、係止孔が後板に設けたねじ孔に螺合するねじが通過するものであり、ねじ孔と係止孔とをねじで固定してベルトに装着するか、またはねじ孔と係止孔とを固定せずにクリップ部の弾性で保護ケースをベルトに装着することにより、携帯型無線機の携帯中に、ケース本体に下方より外力が加わっても、クリップ部が腰ベルトより外れることがないため、落下時の衝撃などによって無線機が故障したり破損するのを未然に防止することができ、しかも、ベルトから絶対に外れない装着か、クリップを押し広げるだけで脱着操作ができる装着かを選ぶことができる。
【００１０】
【発明の実施の形態】
この発明の請求項１に記載の発明は、携帯型無線機を収納する保護ケースであって、後板とクリップとからなるベルトに装着するベルトクリップを備え、後板は保護ケースの一面に装着され、クリップ部の先端が接する部位にねじ孔を有し、クリップ部が一端に後板に固定する基端部と、基端部から上下方向に細長い舌片状に形成された先端部とを有し、先端部にはクリップ部の弾性により後板に押圧される凹断部を有し、凹断部に係止孔を設け、係止孔が後板に設けたねじ孔に螺合するねじが通過するものであり、ねじ孔と係止孔とをねじで固定してベルトに装着するか、またはねじ孔と係止孔とを固定せずにクリップ部の弾性で保護ケースをベルトに装着できるようにしたものである。
【００１１】
上記構成により、携帯型無線機の携帯中に、ケース本体に下方より外力が加わっても、クリップ部が腰ベルトより外れることがないので、無線機を誤って落とすなどの事故を未然に防止することができ、しかも、ベルトから絶対に外れない装着か、クリップを押し広げるだけで脱着操作ができる装着かを選ぶことができる。
【００１４】
（第１の実施の形態）
この発明の第１の実施の形態を図１ないし図３に示す図面を参照して詳述する。
【００１５】
図１はケース本体よりベルトクリップを外した状態の分解斜視図、図２はケース本体にベルトクリップを取付けた状態の斜視図、図３はケース本体を腰ベルトに装着する際の説明図である。
【００１６】
これら図において１はケース本体で、図示しない携帯型の無線機が上部の開口部２より収納できる大きさに形成されており、開口部２には、収納した無線機が飛び出すのを防止する止め帯３が設けられていると共に、止め帯３の先端には、ケース本体１の後面上部に係止する止め具４が設けられている。
【００１７】
また５はケース本体１の後面に取付けられた金属製のベルトクリップで、後板６とクリップ部７とよりなる。
【００１８】
上記後板６は長方形状の金属板より形成されていて、四隅がリベットなどの固着具８によりケース本体１の後面に固着されていると共に、この後板６には、上部に２個所、下部に１個所の計３個所にねじ孔６ａ、６ｂが形成されていて、これらねじ孔６ａに取付けねじ９により上記クリップ部７が着脱自在に取付けられるようになっている。
【００１９】
上記クリップ部７は、弾性を有する金属板により上下方向に細長い舌片状に形成されており、上端側の基端部に取付け部７ａを有している。
【００２０】
この取付け部７ａの両端部には、上記後板６の上側のねじ孔６ａと同じ間隔で取付け孔７ｂが開口されていると共に、クリップ部７の下端側の先端部は凹状に屈曲されていて、この凹段部７ｄに、上記後板６の下側のねじ孔６ｂと合致するよう取付け孔７ｃが開口されている。
【００２１】
そしてクリップ部７の先端は、腰ベルト１０の内側に差し込みやすいように斜め下方に折り曲げられている。
【００２２】
次に上記構成された保護ケースの作用を説明すると、ケース本体１内に無線機を収納し、腰ベルト１０に装着して携帯する場合は、クリップ部７の各取付け孔７ｂ、７ｃに挿入した取付けねじ９を後板６のねじ孔６ａ、６ｂに蝶挿して、クリップ部７の例えば３個所を図２に示すように後板６に固定する。
【００２３】
次にこの状態で図３に示すように腰ベルト１０の先端を後板６とクリップ部７の間の隙間１１に挿入して、腰ベルト１０にケース本体１を装着するもので、クリップ部７の基端部と先端部が後板６に固定されているため、携帯中にケース本体１に下方向より外力が作用しても、腰ベルト１０よりクリップ部７が抜け外れることがなく、携帯型無線機を安全に携帯することができる。
【００２４】
また無線機を使用する場合は、止め帯３を外してケース本体１ないより無線機を取出すことにより、何等支障なく無線機を使用することができる。
【００２５】
一方無線機をＹシャツの胸ポケットなどに収納して携帯する場合は、図１に示すように後板６よりクリップ部７を取外した状態で胸ポケットに収納することにより、クリップ部７が邪魔になることがない。
【００２６】
（第２の実施の形態）
図４ないし図６はこの発明の第２の実施の形態を示すもので、次にこれを説明する。
【００２７】
なお第１の実施の形態と同一の部分は、同じ符号を付してその説明を省略する。
【００２８】
ケース本体１の後面に固着された後板６には、クリップ部７の凹段部７ｄの内面と当接する位置に、上下面に傾斜面６ｃを有するほぼ台形の凸部６ｄが突設されている。
【００２９】
上記構成されたベルトクリップ５は、クリップ部７の基端部のみを後板６に固定し、先端部は固定しない。
【００３０】
また腰ベルト１０に装着して使用する場合は、クリップ部７の先端部を弾性に抗して押し開き、腰ベルト１０の内側に差し込んで装着するもので、このとき腰ベルト１０は、図６に示すように凸部６ｄの下側の傾斜面６ｃに沿って凸部６ｄに乗り上げた後、後板６とクリップ部７の間の隙間１１へ挿入されるため、ケース本体１に後板６を固着している固着具８と腰ベルト１０が干渉することなくベルトクリップ５を腰ベルト１０へ装着することができるようになる。
【００３１】
また携帯中ケース本体１に下方向より外力が作用しても、クリップ部７の凹段部７ｃと後板の凸部６ｄにより、腰ベルト１０が抜け出すのを阻止するため、クリップ部７が腰ベルト１０より外れるのを防止することができる。
【００３２】
【発明の効果】
この発明は以上詳述したように、ケース本体の後面に固着された後板に、クリップ部の基端部と先端部を着脱自在に固定すると共に、後板とクリップ部の間に腰ベルトを挿通することにより、腰ベルトに対して保護ケースを装着するようにしたことから、携帯型無線機を保護ケース内に収納して携帯しているときに、保護ケースに下方より外力が作用しても、ベルトクリップが腰ベルトより外れて、無線機が落下することがない。
【００３３】
これによって落下時受ける衝撃などにより無線機が故障したり、破損するのを未然に防止することができる。
【００３４】
また無線機をＹシャツなどの胸ポケットに収納して携帯する際には、後板よりクリップ部を取り外すことにより、クリップ部が邪魔になることがないと共に、クリップ部が破損した場合、クリップ部のみを交換するだけで再使用できるため、ケース本体全体を交換する場合に比べて大変経済的である。
【００３５】
さらに後板にクリップ部先端が当接する位置に凸部を設けることにより、クリップ部の先端部を後板に固定しなくとも、クリップ部が腰ベルトより抜け外れるのを凸部が阻止するため、先端部を固定したときとほぼ同様な機能が得られると共に、クリップ部の先端を後板に固定しないことから、クリップ部の先端を押し広げて腰ベルトの内側に差し込むだけでベルトクリップを腰ベルトに装着できるため、脱着操作が容易である。
【図面の簡単な説明】
【図１】この発明の第１の実施の形態になる携帯型無線機の保護ケースを示す分解斜視図
【図２】この発明の第１の実施の形態になる携帯型無線機の保護ケースを示す組立て状態の斜視図
【図３】この発明の第１の実施の形態になる携帯型無線機の保護ケースを示す使用状態の説明図
【図４】この発明の第２の実施の形態になる携帯型無線機の保護ケースの斜視図
【図５】図４のＡ円内の拡大図
【図６】同使用状態の説明図
【図７】従来の携帯型無線機の保護ケースを示す斜視図
【符号の説明】
１          ケース本体
２          開口部
３          止め帯
４          止め具
５          ベルトクリップ
６          後板
６ａ、６ｂ  ねじ孔
６ｃ        傾斜面
６ｄ        凸部
７          クリップ部
７ａ        取付け部
７ｂ、７ｃ  取付け孔
７ｄ        凹段部
８          固着具
９          取付けねじ
１０        腰ベルト
１１        隙間
【図１】
0003763642.tif 000002
【図２】
0003763642.tif 000003
【図３】
0003763642.tif 000004
【図４】
0003763642.tif 000005
【図５】
0003763642.tif 000006
【図６】
0003763642.tif 000007
【図７】
0003763642.tif 000008